(57)【要約】【課題】暗い映像の場合は黒潰れの発生を防止できるとともに、明るい映像の場合は白潰れの発生を防止できる映像信号処理装置及び映像再生装置を提供する。【解決手段】ＤＶＤプレーヤ１において、映像信号の中に信号レベル値が１００ＩＲＥを上回る部分があるか否か判断し、当該映像信号の中に信号レベル値が１００ＩＲＥを上回る部分があると判断された場合に、当該映像信号から信号レベル値が１００ＩＲＥを上回る部分がなくなるよう、当該映像信号のレベルを圧縮する圧縮処理を行うとともに、映像信号の中に信号レベル値が５０ＩＲＥを上回る部分があるか否か判断し、当該映像信号の中に信号レベル値が５０ＩＲＥを上回る部分がないと判断された場合に、当該映像信号がレベルシフトするよう、当該映像信号に所定のセットアップ信号を加えるセットアップ処理を行うことを特徴とする。【選択図】図１
2010288095.tif 000002
【特許請求の範囲】
【請求項１】
映像信号の中に信号レベル値が所定の第１閾値を上回る部分があるか否か判断する第１判断手段と、
前記映像信号の中に信号レベル値が前記第１閾値よりも小さい所定の第２閾値を上回る部分があるか否か判断する第２判断手段と、
前記第１判断手段によって前記映像信号の中に信号レベル値が前記第１閾値を上回る部分があると判断された場合に、当該映像信号から信号レベル値が前記第１閾値を上回る部分がなくなるよう、当該映像信号のレベルを圧縮する圧縮手段と、
前記第２判断手段によって前記映像信号の中に信号レベル値が前記第２閾値を上回る部分がないと判断された場合に、当該映像信号に所定のセットアップ信号を加えるセットアップ手段と、
を備えることを特徴とする映像信号処理装置。
【請求項２】
請求項１に記載の映像信号処理装置において、
前記映像信号が点滅映像を表示するための映像信号であるか否か判別する判別手段を備え、
前記第１判断手段は、前記セットアップ手段によって前記映像信号に前記セットアップ信号が加えられた後、前記判別手段によって前記映像信号が点滅映像を表示するための映像信号でないと判別された場合に、前記判断を行うよう構成され、
前記第２判断手段は、前記圧縮手段によって前記映像信号のレベルが圧縮された後、前記判別手段によって前記映像信号が点滅映像を表示するための映像信号でないと判別された場合に、前記判断を行うよう構成されていることを特徴とする映像信号処理装置。
【請求項３】
請求項１に記載の映像信号処理装置において、
前記第１判断手段は、前記セットアップ手段によって前記映像信号に前記セットアップ信号が加えられてから、所定時間以上経過した後に、前記判断を行うよう構成され、
前記第２判断手段は、前記圧縮手段によって前記映像信号のレベルが圧縮されてから、所定時間以上経過した後に、前記判断を行うよう構成されていることを特徴とする映像信号処理装置。
【請求項４】
所定の記録媒体に記録された映像信号を再生する再生手段と、
前記再生手段によって再生された映像信号の中に信号レベル値が所定の第１閾値を上回る部分があるか否か判断する第１判断手段と、
前記再生手段によって再生された映像信号の中に信号レベル値が前記第１閾値よりも小さい所定の第２閾値を上回る部分があるか否か判断する第２判断手段と、
前記再生手段によって再生された映像信号が点滅映像を表示するための映像信号であるか否か判別する判別手段と、
前記第１判断手段によって前記映像信号の中に信号レベル値が前記第１閾値を上回る部分があると判断された場合に、当該映像信号から信号レベル値が前記第１閾値を上回る部分がなくなるよう、当該映像信号のレベルを圧縮する圧縮手段と、
前記第２判断手段によって前記映像信号の中に信号レベル値が前記第２閾値を上回る部分がないと判断された場合に、当該映像信号に所定のセットアップ信号を加えるセットアップ手段と、
を備え、
前記第１判断手段は、前記セットアップ手段によって前記映像信号に前記セットアップ信号が加えられてから、所定時間以上経過した後、前記判別手段によって前記映像信号が点滅映像を表示するための映像信号でないと判別された場合に、前記判断を行うよう構成され、
前記第２判断手段は、前記圧縮手段によって前記映像信号のレベルが圧縮されてから、所定時間以上経過した後、前記判別手段によって前記映像信号が点滅映像を表示するための映像信号でないと判別された場合に、前記判断を行うよう構成されていることを特徴とする映像再生装置。
【発明の詳細な説明】
【技術分野】
【０００１】
本発明は、映像信号処理装置及び映像再生装置に関する。
【背景技術】
【０００２】
従来、画面点滅を見せることなく映像信号を判定し、当該映像信号が人体に害を及ぼす可能性のある場合、ユーザの目に触れる前に事前に画質を低下させてユーザにとって無害な映像を出力することができるよう、映像信号の映像レベルと映像周波数とを１フレーム分検出し、当該映像レベルが一定の映像レベル以上であり、かつ、当該映像周波数が所定の周波数以下であるか否かを判定し、当該映像レベルが一定の映像レベル以上であり、かつ、当該映像周波数が所定の周波数以下であると判定した場合、映像処理手段又は表示手段に対し映像の画質を低下させることを指示する画質低下指示手段を備えたテレビ受像機が知られている（例えば、特許文献１参照）。
【０００３】
また、非線型増幅回路で黒伸長された輝度信号の直流分がペデスタルレベル以下になり黒潰れ現象が生じるのを防止することができるよう、直流再生率を可変にする直流再生率可変回路と、黒レベルのピーク値を検出する黒ピークホールド回路とに共通のピンを設け、そのピンにコンデンサと抵抗よりなる黒ピーク検出とＡＰＬ検出とを兼用した兼用フイルタを接続した映像信号処理回路が知られている（例えば、特許文献２参照）。
【先行技術文献】
【特許文献】
【０００４】
【特許文献１】特開２００６−２５４２６５号公報
【特許文献２】特開２００２−９４８３０号公報
【発明の概要】
【発明が解決しようとする課題】
【０００５】
しかしながら、特許文献１記載の発明は、映像信号が、輝度が高い画面や急激な色変化を有する画面等の人体に害を及ぼす可能性がある映像の映像信号である場合（例えば、映像信号の映像レベルが８０ＩＲＥ以上であり、かつ、映像周波数が２ＭＨｚ以下である場合）は、画質を低下（例えば、ブライトネス１０％ダウン、コントラスト５％ダウン、シャープネス５％ダウン）させて、無害な映像を出力することはできるものの、暗い映像の場合は黒潰れの発生を防止するとともに、明るい映像の場合は白潰れの発生を防止することはできない。
また、特許文献２記載の発明は、黒伸長された輝度信号が黒潰れしないようにすることはできるものの、暗い映像の場合は黒潰れの発生を防止するとともに、明るい映像の場合は白潰れの発生を防止することはできない。
【０００６】
本発明の課題は、暗い映像の場合は黒潰れの発生を防止できるとともに、明るい映像の場合は白潰れの発生を防止できる映像信号処理装置及び映像再生装置を提供することにある。
【課題を解決するための手段】
【０００７】
上記課題を解決するために、請求項１に記載の発明は、
映像信号処理装置において、
映像信号の中に信号レベル値が所定の第１閾値を上回る部分があるか否か判断する第１判断手段と、
前記映像信号の中に信号レベル値が前記第１閾値よりも小さい所定の第２閾値を上回る部分があるか否か判断する第２判断手段と、
前記第１判断手段によって前記映像信号の中に信号レベル値が前記第１閾値を上回る部分があると判断された場合に、当該映像信号から信号レベル値が前記第１閾値を上回る部分がなくなるよう、当該映像信号のレベルを圧縮する圧縮手段と、
前記第２判断手段によって前記映像信号の中に信号レベル値が前記第２閾値を上回る部分がないと判断された場合に、当該映像信号に所定のセットアップ信号を加えるセットアップ手段と、
を備えることを特徴とする。
【０００８】
請求項２に記載の発明は、
請求項１に記載の映像信号処理装置において、
前記映像信号が点滅映像を表示するための映像信号であるか否か判別する判別手段を備え、
前記第１判断手段は、前記セットアップ手段によって前記映像信号に前記セットアップ信号が加えられた後、前記判別手段によって前記映像信号が点滅映像を表示するための映像信号でないと判別された場合に、前記判断を行うよう構成され、
前記第２判断手段は、前記圧縮手段によって前記映像信号のレベルが圧縮された後、前記判別手段によって前記映像信号が点滅映像を表示するための映像信号でないと判別された場合に、前記判断を行うよう構成されていることを特徴とする。
【０００９】
請求項３に記載の発明は、
請求項１に記載の映像信号処理装置において、
前記第１判断手段は、前記セットアップ手段によって前記映像信号に前記セットアップ信号が加えられてから、所定時間以上経過した後に、前記判断を行うよう構成され、
前記第２判断手段は、前記圧縮手段によって前記映像信号のレベルが圧縮されてから、所定時間以上経過した後に、前記判断を行うよう構成されていることを特徴とする。
【００１０】
請求項４に記載の発明は、
映像再生装置において、
所定の記録媒体に記録された映像信号を再生する再生手段と、
前記再生手段によって再生された映像信号の中に信号レベル値が所定の第１閾値を上回る部分があるか否か判断する第１判断手段と、
前記再生手段によって再生された映像信号の中に信号レベル値が前記第１閾値よりも小さい所定の第２閾値を上回る部分があるか否か判断する第２判断手段と、
前記再生手段によって再生された映像信号が点滅映像を表示するための映像信号であるか否か判別する判別手段と、
前記第１判断手段によって前記映像信号の中に信号レベル値が前記第１閾値を上回る部分があると判断された場合に、当該映像信号から信号レベル値が前記第１閾値を上回る部分がなくなるよう、当該映像信号のレベルを圧縮する圧縮手段と、
前記第２判断手段によって前記映像信号の中に信号レベル値が前記第２閾値を上回る部分がないと判断された場合に、当該映像信号に所定のセットアップ信号を加えるセットアップ手段と、
を備え、
前記第１判断手段は、前記セットアップ手段によって前記映像信号に前記セットアップ信号が加えられてから、所定時間以上経過した後、前記判別手段によって前記映像信号が点滅映像を表示するための映像信号でないと判別された場合に、前記判断を行うよう構成され、
前記第２判断手段は、前記圧縮手段によって前記映像信号のレベルが圧縮されてから、所定時間以上経過した後、前記判別手段によって前記映像信号が点滅映像を表示するための映像信号でないと判別された場合に、前記判断を行うよう構成されていることを特徴とする。
【発明の効果】
【００１１】
本発明によれば、映像信号の中に信号レベル値が第１閾値を上回る部分があると判断された場合（すなわち、明るい映像の場合）に、当該映像信号のレベルを圧縮して、白潰れの発生を防止できるとともに、映像信号の中に信号レベル値が第２閾値を上回る部分がないと判断された場合（すなわち、暗い映像の場合）に、当該映像信号に所定のセットアップ信号を加えて、黒潰れの発生を防止できる。
【図面の簡単な説明】
【００１２】
【図１】本実施形態のＤＶＤプレーヤの機能的構成を示す図である。
【図２】映像信号のレベルを圧縮する仕方について説明するための図である。
【図３】映像信号にセットアップ信号を加える仕方について説明するための図である。
【図４】本実施形態のＤＶＤプレーヤによる映像信号の信号レベル値の調整に関する処理について説明するためのフローチャートである。
【発明を実施するための形態】
【００１３】
以下、図を参照して、本発明の実施の形態を詳細に説明する。ただし、発明の範囲は、図示例に限定されない。
本実施形態では、記録媒体としてＤＶＤ（Digital Versatile Disc）を例示し、映像信号処理装置及び映像再生装置として当該ＤＶＤに記録されたデータの再生を行うＤＶＤプレーヤ１を例示して説明することとする。
【００１４】
ＤＶＤプレーヤ１は、例えば、図１に示すように、ＤＶＤ１０と、再生部１１と、デコーダ部１２と、信号処理部１３と、操作部１４と、制御部１５と、を備えて構成され、テレビジョン受像機２と接続している。
【００１５】
再生部１１は、再生手段として、ＤＶＤ１０に記録された映像信号を再生する。
具体的には、再生部１１は、ＤＶＤプレーヤ１に装着されたＤＶＤ１０に記録されたデータを読み取って、デコーダ部１２に出力する。
【００１６】
デコーダ部１２は、例えば、分離部と、ビデオデコーダと、オーディオデコーダと、を備えて構成される。
【００１７】
分離部は、再生部１１から入力されたデータを映像データや音声データなどの複数のデータに分離して、分離した映像データをビデオデコーダに出力するとともに、分離した音声データをオーディオデコーダに出力する。
【００１８】
ビデオデコーダは、第１デコーダと、第２デコーダと、を備えて構成される。
第１デコーダは、分離部から入力された映像データを、ＭＰＥＧ（Moving Picture Experts Group）方式等の所定の映像圧縮方式に従ってデコードして映像信号に変換し、第２デコーダに出力する。
第２デコーダは、第１デコーダから入力された映像信号を、ＮＴＳＣ（National Television System Committee）方式の映像信号に変換して、信号処理部１３に出力する。
【００１９】
オーディオデコーダは、分離部から入力された音声データを、ドルビーＡＣ３方式等の所定の音声圧縮方式に従ってデコードして音声信号に変換し、テレビジョン受像機２が備える音声出力部２２に出力する。
【００２０】
信号処理部１３は、制御部１５から入力される制御信号に従って、デコーダ部１２（ビデオデコーダ）から入力された映像信号に対して、当該映像信号の輝度を変更する処理（当該映像信号の信号レベルを圧縮する圧縮処理や、当該映像信号にセットアップ信号を加えるセットアップ処理）等を施して、テレビジョン受像機２が備える映像表示部２１に出力する。
【００２１】
テレビジョン受像機２が備える映像表示部２１は、例えば、液晶表示機器であり、ＤＶＤプレーヤ１（信号処理部１３）から入力された映像信号に基づく映像を表示する。
【００２２】
テレビジョン受像機２が備える音声出力部２２は、例えば、スピーカ機器であり、ＤＶＤプレーヤ１（デコーダ部１２（オーディオデコーダ））から入力された音声信号に基づく音声を出力する。
【００２３】
操作部１４は、例えば、ＤＶＤプレーヤ１用のリモートコントローラ及び当該リモートコントローラと通信可能なリモコン受信部や、ＤＶＤプレーヤ１の筐体に設けられた操作ボタンなどから構成され、例えば、ユーザにより操作されると、当該操作信号を制御部１５に出力する。
【００２４】
制御部１５は、例えば、図１に示すように、ＣＰＵ（Central Processing Unit）１５１と、ＲＡＭ（Random Access Memory）１５２と、記憶部１５３と、を備えて構成され、ＤＶＤプレーヤ１を構成する各部の動作を集中制御する。
【００２５】
ＣＰＵ１５１は、例えば、記憶部１５３に記憶されたＤＶＤプレーヤ１用の各種処理プログラムに従って各種の制御動作を行う。
【００２６】
ＲＡＭ１５２は、例えば、ＣＰＵ１５１によって実行される処理プログラムなどを展開するためのプログラム格納領域、入力データや上記処理プログラムが実行される際に生じる処理結果などを格納するデータ格納領域等を備える。
【００２７】
記憶部１５３は、例えば、ＤＶＤプレーヤ１で実行可能なシステムプログラム、当該システムプログラムで実行可能な各種処理プログラム、これら各種処理プログラムを実行する際に使用されるデータ、ＣＰＵ１５１によって演算処理された処理結果のデータ等を記憶する。なお、プログラムは、コンピュータが読み取り可能なプログラムコードの形で記憶部１５３に記憶されている。
【００２８】
具体的には、記憶部１５３は、例えば、図１に示すように、第１判断プログラム１５３ａと、第２判断プログラム１５３ｂと、圧縮プログラム１５３ｃと、セットアッププログラム１５３ｄと、判別プログラム１５３ｅと、を記憶している。
【００２９】
第１判断プログラム１５３ａは、再生部１１によって再生された映像信号の中に信号レベル値が所定の第１閾値（例えば、１００ＩＲＥ）を上回る部分があるか否か判断する機能を、ＣＰＵ１５１に実現させる。
具体的には、ＣＰＵ１５１は、信号処理部１３において、デコーダ部１２から入力される映像信号の中に、信号レベル値が１００ＩＲＥを上回る部分があるか否か判断する。
【００３０】
ここで、ＣＰＵ１５１は、信号処理部１３がセットアップ処理を行った後に当該判断を行う際、当該セットアップ処理が行われてから、所定時間（例えば、５秒）以上経過した後、判別プログラム１５３ｅを実行したＣＰＵ１５１（後述）によって映像信号が点滅映像を表示するための映像信号でないと判別された場合に、当該判断を行うこととする。
ＣＰＵ１５１は、かかる第１判断プログラム１５３ａを実行することによって、第１判断手段として機能する。
【００３１】
第２判断プログラム１５３ｂは、再生部１１によって再生された映像信号の中に信号レベル値が第１閾値（１００ＩＲＥ）よりも小さい所定の第２閾値（例えば、５０ＩＲＥ）を上回る部分があるか否か判断する機能を、ＣＰＵ１５１に実現させる。
具体的には、ＣＰＵ１５１は、信号処理部１３において、デコーダ部１２から入力される映像信号の中に、信号レベル値が５０ＩＲＥを上回る部分があるか否か判断する。
【００３２】
ここで、ＣＰＵ１５１は、信号処理部１３が圧縮処理を行った後に当該判断を行う際、当該圧縮処理が行われてから、所定時間（例えば、５秒）以上経過した後、判別プログラム１５３ｅを実行したＣＰＵ１５１（後述）によって映像信号が点滅映像を表示するための映像信号でないと判別された場合に、当該判断を行うこととする。
ＣＰＵ１５１は、かかる第２判断プログラム１５３ｂを実行することによって、第２判断手段として機能する。
【００３３】
圧縮プログラム１５３ｃは、映像信号の中に信号レベル値が１００ＩＲＥを上回る部分があると判断された場合に、当該映像信号から信号レベル値が１００ＩＲＥを上回る部分がなくなるよう、当該映像信号のレベルを圧縮する機能を、ＣＰＵ１５１に実現させる。
【００３４】
具体的には、ＣＰＵ１５１は、映像信号の中に信号レベル値が１００ＩＲＥを上回る部分があると判断された場合に、信号処理部１３に制御信号を入力して、ゲインを制御する等して、所定の圧縮率（当該映像信号から信号レベル値が１００ＩＲＥを上回る部分がなくなる圧縮率）で当該映像信号のレベルを圧縮する圧縮処理を行わせる。
より具体的には、デコーダ部１２から入力された映像信号が、例えば、図２の上図に示すような映像信号である場合、当該映像信号の中には信号レベル値が１００ＩＲＥを上回る部分があるため、当該映像信号は、例えば、図２の下図に示すように圧縮されてから、映像表示部２１に出力される。なお、図２においては、映像信号を実線で示し、映像信号の前後にある同期信号やカラーバーストを含む期間（ブランキング期間）を破線で示している。
なお、圧縮手段は、信号処理部１３と、圧縮プログラム１５３ｃを実行したＣＰＵ１５１と、によって構成される。
【００３５】
セットアッププログラム１５３ｄは、映像信号の中に信号レベル値が５０ＩＲＥを上回る部分がないと判断された場合に、当該映像信号の信号レベル値が所定レベル分（例えば、＋７．５ＩＲＥ分）増加する方向へ当該映像信号がレベルシフトするよう、当該映像信号に所定のセットアップ信号を加える機能を、ＣＰＵ１５１に実現させる。
【００３６】
具体的には、ＣＰＵ１５１は、映像信号の中に信号レベル値が５０ＩＲＥを上回る部分がないと判断された場合に、信号処理部１３に制御信号を入力して、所定のセットアップ信号（＋７．５ＩＲＥセットアップ信号）を当該映像信号に加えるセットアップ処理を行わせる。
より具体的には、デコーダ部１２から入力された映像信号が、例えば、図３の上図に示すような映像信号である場合、当該映像信号の中に信号レベル値が５０ＩＲＥを上回る部分がないため、当該映像信号は、例えば、図３の下図に示すように＋７．５ＩＲＥセットアップ信号が加えられてから、映像表示部２１に出力される。なお、図３においては、映像信号を実線で示し、映像信号の前後にある同期信号やカラーバーストを含む期間（ブランキング期間）を破線で示している。
なお、セットアップ手段は、信号処理部１３と、セットアッププログラム１５３ｄを実行したＣＰＵ１５１と、によって構成される。
【００３７】
判別プログラム１５３ｅは、再生部１１によって再生された映像信号が点滅映像を表示するための映像信号であるか否か判別する機能を、ＣＰＵ１５１に実現させる。
【００３８】
具体的には、ＣＰＵ１５１は、信号処理部１３において、１フレーム分の映像信号に基づき当該１フレームの特徴量（平均輝度等の点滅映像に関する特徴量）を算出する。次いで、当該１フレームの特徴量と、その後の１フレームの特徴量と、の差分を算出し、当該差分が所定の差分閾値以上であるか否か判断する。次いで、当該差分が差分閾値以上となる頻度が、予め設定しておいた条件に一致するか否か判断し、一致すると判断した場合に、再生された映像信号が点滅映像を表示するための映像信号であると判別する。
ここで、予め設定しておいた条件とは、例えば、当該差分が差分閾値以上となる頻度が、２秒間に４回以上であるという条件である。
ＣＰＵ１５１は、かかる判別プログラム１５３ｅを実行することによって、判別手段として機能する。
【００３９】
＜信号レベル値調整処理＞
次に、ＤＶＤプレーヤ１による映像信号の信号レベル値の調整に関する処理について、図４のフローチャートを参照して説明する。
【００４０】
まず、ＣＰＵ１５１は、第１判断プログラム１５３ａを実行して、再生部１１によって再生された映像信号の中に信号レベル値が１００ＩＲＥを上回る部分があるか否か判断する（ステップＳ１）。
【００４１】
ステップＳ１で、再生された映像信号の中に信号レベル値が１００ＩＲＥを上回る部分がないと判断すると（ステップＳ１；Ｎｏ）、ＣＰＵ１５１は、ステップＳ７の処理に移行する。
【００４２】
一方、ステップＳ１で、再生された映像信号の中に信号レベル値が１００ＩＲＥを上回る部分があると判断すると（ステップＳ１；Ｙｅｓ）、ＣＰＵ１５１は、圧縮プログラム１５３ｃを実行して、信号処理部１３を制御し、再生部１１によって再生された映像信号のレベルを圧縮する圧縮処理を開始させ（ステップＳ２）、５秒間待機する（ステップＳ３）。
【００４３】
次いで、ＣＰＵ１５１は、判別プログラム１５３ｅを実行して、再生部１１によって再生された映像信号が点滅映像を表示するための映像信号であるか否か判別する（ステップＳ４）。
具体的には、例えば、待機している間（５秒間）に点滅映像判別処理を行っておき、直近の２秒間における、１フレームの特徴量とその後の１フレームの特徴量との差分が差分閾値以上となる頻度が、４回以上であるか否か判断し、４回以上であると判断した場合に、再生された映像信号が点滅映像を表示するための映像信号であると判別する。
【００４４】
ステップＳ４で、再生された映像信号が点滅映像を表示するための映像信号であると判断すると（ステップＳ４；Ｙｅｓ）、ＣＰＵ１５１は、ステップＳ４の処理を繰り返して行う。
【００４５】
一方、ステップＳ４で、再生された映像信号が点滅映像を表示するための映像信号でないと判断すると（ステップＳ４；Ｎｏ）、ＣＰＵ１５１は、第１判断プログラム１５３ａを実行して、再生部１１によって再生された映像信号の中に信号レベル値が１００ＩＲＥを上回る部分があるか否か判断する（ステップＳ５）。
【００４６】
ステップＳ５で、再生された映像信号の中に信号レベル値が１００ＩＲＥを上回る部分があると判断すると（ステップＳ５；Ｙｅｓ）、ＣＰＵ１５１は、ステップＳ５の処理を繰り返して行う。
【００４７】
一方、ステップＳ５で、再生された映像信号の中に信号レベル値が１００ＩＲＥを上回る部分がないと判断すると（ステップＳ５；Ｎｏ）、ＣＰＵ１５１は、信号処理部１３を制御し、圧縮処理を停止させる（ステップＳ６）。
【００４８】
次いで、第２判断プログラム１５３ｂを実行して、再生部１１によって再生された映像信号の中に信号レベル値が５０ＩＲＥを上回る部分があるか否か判断する（ステップＳ７）。
【００４９】
ステップＳ７で、再生された映像信号の中に信号レベル値が５０ＩＲＥを上回る部分があると判断すると（ステップＳ７；Ｙｅｓ）、ＣＰＵ１５１は、ステップＳ１の処理に移行する。
【００５０】
一方、ステップＳ７で、再生された映像信号の中に信号レベル値が５０ＩＲＥを上回る部分がないと判断すると（ステップＳ７；Ｎｏ）、ＣＰＵ１５１は、セットアッププログラム１５３ｄを実行して、信号処理部１３を制御し、再生部１１によって再生された映像信号に＋７．５ＩＲＥセットアップ信号を加えるセットアップ処理を開始させ（ステップＳ８）、５秒間待機する（ステップＳ９）。
【００５１】
次いで、ＣＰＵ１５１は、判別プログラム１５３ｅを実行して、再生部１１によって再生された映像信号が点滅映像を表示するための映像信号であるか否か判別する（ステップＳ１０）。
【００５２】
ステップＳ１０で、再生された映像信号が点滅映像を表示するための映像信号であると判断すると（ステップＳ１０；Ｙｅｓ）、ＣＰＵ１５１は、ステップＳ１０の処理を繰り返して行う。
【００５３】
一方、ステップＳ１０で、再生された映像信号が点滅映像を表示するための映像信号でないと判断すると（ステップＳ１０；Ｎｏ）、ＣＰＵ１５１は、第２判断プログラム１５３ｂを実行して、再生部１１によって再生された映像信号の中に信号レベル値が５０ＩＲＥを上回る部分があるか否か判断する（ステップＳ１１）。
【００５４】
ステップＳ１１で、再生された映像信号の中に信号レベル値が５０ＩＲＥを上回る部分がないと判断すると（ステップＳ１１；Ｎｏ）、ＣＰＵ１５１は、ステップＳ１１の処理を繰り返して行う。
【００５５】
一方、ステップＳ１１で、再生された映像信号の中に信号レベル値が５０ＩＲＥを上回る部分があると判断すると（ステップＳ１１；Ｙｅｓ）、ＣＰＵ１５１は、信号処理部１３を制御し、セットアップ処理を停止させ（ステップＳ１２）、ステップＳ１以降の処理を繰り返して行う。
【００５６】
以上説明した本実施形態のＤＶＤプレーヤ１によれば、映像信号の中に信号レベル値が１００ＩＲＥを上回る部分があるか否か判断する第１判断プログラム１５３ａを実行したＣＰＵ１５１と、映像信号の中に信号レベル値が５０ＩＲＥを上回る部分があるか否か判断する第２判断プログラム１５３ｂを実行したＣＰＵ１５１と、映像信号の中に信号レベル値が１００ＩＲＥを上回る部分があると判断された場合に、当該映像信号から信号レベル値が１００ＩＲＥを上回る部分がなくなるよう、当該映像信号のレベルを圧縮する圧縮プログラム１５３ｃを実行したＣＰＵ１５１と、映像信号の中に信号レベル値が５０ＩＲＥを上回る部分がないと判断された場合に、当該映像信号が＋７．５ＩＲＥ分レベルシフトするよう、当該映像信号にセットアップ信号を加えるセットアッププログラム１５３ｄを実行したＣＰＵ１５１と、を備えている。
したがって、映像信号の中に信号レベル値が１００ＩＲＥを上回る部分があると判断された場合（すなわち、明るい映像の場合）に、当該映像信号のレベルを圧縮して、白潰れの発生を防止できるとともに、映像信号の中に信号レベル値が５０ＩＲＥを上回る部分がないと判断された場合（すなわち、暗い映像の場合）に、当該映像信号に所定のセットアップ信号を加えて、黒潰れの発生を防止できる。
【００５７】
また、以上説明した本実施形態のＤＶＤプレーヤ１によれば、映像信号が点滅映像を表示するための映像信号であるか否か判別する判別プログラム１５３ｅを実行したＣＰＵ１５１を備え、第１判断プログラム１５３ａを実行したＣＰＵ１５１は、映像信号にセットアップ信号が加えられた後、映像信号が点滅映像を表示するための映像信号でないと判別された場合に、映像信号の中に信号レベル値が１００ＩＲＥを上回る部分があるか否か判断し、第２判断プログラム１５３ｂを実行したＣＰＵ１５１は、映像信号のレベルが圧縮された後、映像信号が点滅映像を表示するための映像信号でないと判別された場合に、映像信号の中に信号レベル値が５０ＩＲＥを上回る部分があるか否か判断するようになっている。
したがって、圧縮処理を行うモードとセットアップ処理を行うモードとが頻繁に切り替わると、所定の映像（例えば、白と黒とが点滅する点滅映像）を正常に表示することができない等の問題が生じるが、映像信号が点滅映像を表示するための映像信号でないと判別された場合に、映像信号の信号レベル値を判断して、モードを切り替えるようになっているため、当該問題が生じることがなく、好適である。
【００５８】
また、以上説明した本実施形態のＤＶＤプレーヤ１によれば、第１判断プログラム１５３ａを実行したＣＰＵ１５１は、映像信号にセットアップ信号が加えられてから、所定時間（例えば、５秒）以上経過した後に、映像信号の中に信号レベル値が１００ＩＲＥを上回る部分があるか否か判断し、第２判断プログラム１５３ｂを実行したＣＰＵ１５１は、映像信号のレベルが圧縮されてから、所定時間（例えば、５秒）以上経過した後に、映像信号の中に信号レベル値が５０ＩＲＥを上回る部分があるか否か判断するようになっている。
したがって、圧縮処理を行うモードとセットアップ処理を行うモードとが頻繁に切り替わると、所定の映像（例えば、白と黒とが点滅する点滅映像）を正常に表示することができない等の問題が生じるが、所定時間以上のインターバルを置いた後に、映像信号の信号レベル値を判断して、モードを切り替えるようになっているため、当該問題が生じることがなく、好適である。
【００５９】
なお、本発明は、上記した実施の形態のものに限るものではなく、その要旨を逸脱しない範囲で適宜変更可能である。
【００６０】
第１閾値は、１００ＩＲＥに限ることはなく、映像の白潰れが発生する可能性のある信号レベル値であれば任意である。
また、第２閾値は、５０ＩＲＥに限ることはなく、第１閾値よりも小さく、かつ、映像の黒潰れが発生する可能性のある信号レベル値であれば任意である。
【００６１】
圧縮処理やセットアップ処理の開始後に行う５秒間の待機と、点滅映像の判別と、の両方を行う必要はなく、何れか一方のみを行うようにしても良い。
また、所定時間（すなわち、待機時間）は、５秒に限ることはなく、点滅映像を正常に表示することができない等の問題が生じるのを防止できるインターバルであれば任意である。
【００６２】
セットアップ処理により、信号レベル値が＋７．５ＩＲＥ分増加するようにしたが、この増加量は＋７．５ＩＲＥに限ることはなく任意である。
また、米国のＮＴＳＣ規格のように、既に映像信号にセットアップ信号（＋７．５ＩＲＥセットアップ信号）が加えられている場合には、セットアップ処理を行わなくても良い。
【００６３】
点滅映像判別処理において、予め設定しておいた条件は、１フレームの特徴量とその後の１フレームの特徴量との差分が差分閾値以上となる頻度が、２秒間に４回以上であるという条件に限ることはなく、再生された映像信号が点滅映像を表示するための映像信号であると判別できる条件であれば任意である。
また、点滅映像を判別する方法は、上記実施形態のものに限ることはなく、公知の点滅映像判別方法を適宜任意に使用しても良い。
【００６４】
デコーダ部１２のビデオデコーダが備える第２デコーダは、ＮＴＳＣ方式の映像信号に変換するものに限ることはなく、ＰＡＬ方式の映像信号に変換するものであっても良いし、ＳＥＣＡＭ方式の映像信号に変換するものであっても良い。
【００６５】
映像再生装置は、ＤＶＤプレーヤ１に限ることはなく、所定の記録媒体に記録された映像信号を再生することができる電子機器であれば任意である。
また、映像信号処理装置は、ＤＶＤプレーヤ１に限ることはなく、映像信号に所定の処理を施して出力できる電子機器であれば任意である。
【符号の説明】
【００６６】
１  ＤＶＤプレーヤ（映像信号処理装置、映像再生装置）
１０  ＤＶＤ（記録媒体）
１１  再生部（再生手段）
１３  信号処理部（圧縮手段、セットアップ手段）
１５１  ＣＰＵ（第１判断手段、第２判断手段、圧縮手段、セットアップ手段、判別手段）
１５３ａ  第１判断プログラム（第１判断手段）
１５３ｂ  第２判断プログラム（第２判断手段）、
１５３ｃ  圧縮プログラム（圧縮手段）
１５３ｄ  セットアッププログラム（セットアップ手段）
１５３ｅ  判別プログラム（判別手段）
【図１】
2010288095.tif 000003
【図２】
2010288095.tif 000004
【図３】
2010288095.tif 000005
【図４】
2010288095.tif 000006